(57)【要約】【課題】電極線の断線によるフローティング部の発生を抑えることのできるタッチセンサ用電極、タッチパネル、および、表示装置を提供する。【解決手段】複数のドライブ電極の少なくとも一部が備える電極線群は、屈曲線形状を有した複数のドライブ主線３１ＭＬと、２以上のドライブ主線３１ＭＬを繋ぐ電極線である１以上のドライブ副線３１ＳＬとを含むドライブ電極線群であり、透明誘電体層の第１面と対向する方向から見て、ドライブ主線３１ＭＬとセンシング主線３３ＭＬとが交差し、ドライブ電極線群にてドライブ主線３１ＭＬが有する複数の屈曲部３１ＱＭの少なくとも一部は、センシング主線３３ＭＬ間の隙間と対向し、センシング主線３３ＭＬとドライブ副線３１ＳＬとは、これらの協働によって、第１電極方向Ｄ１に沿って隙間をあけて並ぶ電極線の周期的なパターンを形成している。【選択図】図８
2016126731.tif 000002
【特許請求の範囲】
【請求項１】
第１面と、前記第１面とは反対側の面である第２面とを有する透明誘電体層と、
前記透明誘電体層の前記第１面にて、第１方向に沿って延び、前記第１方向と交差する方向である第２方向に沿って並ぶ複数の第１電極と、
前記透明誘電体層の前記第２面にて、前記第２方向に沿って延び、前記第１方向に沿って並ぶ複数の第２電極と、
を備え、
前記複数の第１電極の各々は、前記第２方向に沿って隙間をあけて並ぶ電極線である複数の第１主線を含む電極線群から構成され、
前記複数の第２電極の各々は、前記第１方向に沿って隙間をあけて並ぶ電極線である複数の第２主線を含む電極線群から構成され、
前記複数の第１電極の少なくとも一部が備える前記電極線群は、屈曲線形状を有した複数の前記第１主線と、２以上の前記第１主線を繋ぐ電極線である１以上の第１副線とを含む第１電極線群であり、
前記透明誘電体層の前記第１面と対向する方向から見て、
前記第１主線と前記第２主線とが交差し、
前記第１電極線群にて前記第１主線が有する複数の屈曲部の少なくとも一部は、前記第２主線間の隙間と対向し、
前記第２主線と前記第１副線とは、これらの協働によって、前記第１方向に沿って隙間をあけて並ぶ前記電極線の周期的なパターンを形成している
タッチセンサ用電極。
【請求項２】
前記第２主線と前記第１副線との各々は、屈曲線形状を有している
請求項１に記載のタッチセンサ用電極。
【請求項３】
前記屈曲線形状は、直線形状を有する複数の短線部が屈曲部を介して連なる折れ線形状である
請求項１または２に記載のタッチセンサ用電極。
【請求項４】
相互に隣接する２つの前記第１電極の各々は、前記第１電極線群から構成され、前記相互に隣接する２つの前記第１電極の各々が有する前記第１副線は、前記第２方向に沿って並んでいる
請求項１〜３のいずれか一項に記載のタッチセンサ用電極。
【請求項５】
前記第１電極線群において、前記第１副線の線幅は、前記第１主線の線幅と等しい
請求項１〜４のいずれか一項に記載のタッチセンサ用電極。
【請求項６】
前記第１電極線群において、前記第１副線の線幅は、前記第１主線の線幅と異なる
請求項１〜４のいずれか一項に記載のタッチセンサ用電極。
【請求項７】
前記第１電極線群において、１つの前記第１副線は、前記第１電極線群に含まれるすべての前記第１主線を繋いでいる
請求項１〜６のいずれか一項に記載のタッチセンサ用電極。
【請求項８】
前記透明誘電体層の前記第１面と対向する方向から見て、
前記第１電極線群を備える前記第１電極と前記複数の第２電極とが重なる領域の各々に、１つの前記第１副線が配置されている
請求項７に記載のタッチセンサ用電極。
【請求項９】
前記透明誘電体層の前記第１面と対向する方向から見て、
前記第１電極線群を備える前記第１電極と前記複数の第２電極とが重なる領域の各々に、複数の前記第１副線が配置されている
請求項７に記載のタッチセンサ用電極。
【請求項１０】
前記第１副線は、相互に隣り合う２つの前記第１電極の境界領域を区画する相互に隣り合う２つの前記第１主線の間にはみ出していない
請求項１〜９のいずれか一項に記載のタッチセンサ用電極。
【請求項１１】
複数の第１電極と、複数の第２電極と、複数の前記第１電極と複数の前記第２電極との間に挟まれる透明誘電体層と、を備えるタッチセンサ用電極と、
前記タッチセンサ用電極を覆うカバー層と、
前記第１電極と前記第２電極との間の静電容量を測定する周辺回路と、を備え、
前記タッチセンサ用電極は、
請求項１〜１０のいずれか一項に記載のタッチセンサ用電極である
タッチパネル。
【請求項１２】
情報を表示する表示パネルと、
前記表示パネルの表示する前記情報を透過するタッチパネルと、
前記タッチパネルの駆動を制御する制御部と、を備え、
前記タッチパネルは、請求項１１に記載のタッチパネルである
表示装置。
【発明の詳細な説明】
【技術分野】
【０００１】
本発明は、複数の電極の各々が複数の電極線を備えるタッチセンサ用電極、タッチパネル、および、表示装置に関する。
【背景技術】
【０００２】
電子機器の入力デバイスとしてタッチパネルが広く用いられている。タッチパネルは、第１面と第２面とを有した透明誘電体層を備え、透明誘電体層の第１面には、Ｘ方向に沿って延びる複数の第１電極が位置し、透明誘電体層の第２面には、Ｘ方向に対して直交するＹ方向に沿って延びる複数の第２電極が位置している。そして、１つの第１電極と複数の第２電極の各々との間における静電容量の変化が第１電極ごとに検出されて、タッチパネルの操作面における指などの接触位置が検出される。
【０００３】
こうしたタッチパネルの一例では、複数の第１電極の各々は、Ｘ方向に沿って延びる複数の電極線から構成され、複数の第２電極の各々は、Ｙ方向に沿って延びる複数の電極線から構成される。電極線としては、銀や銅などの金属からなる細線が用いられる（例えば、特許文献１参照）。
【先行技術文献】
【特許文献】
【０００４】
【特許文献１】特開２０１３−１５６７２５号公報
【発明の概要】
【発明が解決しようとする課題】
【０００５】
ところで、１つの電極を構成する複数の電極線の各々の一端は、その電極を構成する他の電極線の一端に接続され、また、複数の電極線の各々の他端は、その電極を構成する他の電極線の他端に接続されている。複数の電極線がこうした並列回路を構成することによって、複数の電極線は１つの電極として機能している。この際に、１つの電極線のうちの２箇所で断線が生じると、この電極線にて断線箇所に挟まれた部分は、周囲から絶縁されたフローティング部となり、フローティング部の発生は、接触位置の検出精度の低下を引き起こす。
【０００６】
本発明は、電極線の断線によるフローティング部の発生を抑えることのできるタッチセンサ用電極、タッチパネル、および、表示装置を提供することを目的とする。
【課題を解決するための手段】
【０００７】
上記課題を解決するタッチセンサ用電極は、第１面と、前記第１面とは反対側の面である第２面とを有する透明誘電体層と、前記透明誘電体層の前記第１面にて、第１方向に沿って延び、前記第１方向と交差する方向である第２方向に沿って並ぶ複数の第１電極と、前記透明誘電体層の前記第２面にて、前記第２方向に沿って延び、前記第１方向に沿って並ぶ複数の第２電極と、を備え、前記複数の第１電極の各々は、前記第２方向に沿って隙間をあけて並ぶ電極線である複数の第１主線を含む電極線群から構成され、前記複数の第２電極の各々は、前記第１方向に沿って隙間をあけて並ぶ電極線である複数の第２主線を含む電極線群から構成され、前記複数の第１電極の少なくとも一部が備える前記電極線群は、屈曲線形状を有した複数の前記第１主線と、２以上の前記第１主線を繋ぐ電極線である１以上の第１副線とを含む第１電極線群であり、前記透明誘電体層の前記第１面と対向する方向から見て、前記第１主線と前記第２主線とが交差し、前記第１電極線群にて前記第１主線が有する前記複数の屈曲部の少なくとも一部は、前記第２主線間の隙間と対向し、前記第２主線と前記第１副線とは、これらの協働によって、前記第１方向に沿って隙間をあけて並ぶ前記電極線の周期的なパターンを形成している。
【０００８】
上記課題を解決するタッチパネルは、複数の第１電極と、複数の第２電極と、複数の前記第１電極と複数の前記第２電極との間に挟まれる透明誘電体層と、を備えるタッチセンサ用電極と、前記タッチセンサ用電極を覆うカバー層と、前記第１電極と前記第２電極との間の静電容量を測定する周辺回路と、を備え、前記タッチセンサ用電極は、上記タッチセンサ用電極である。
【０００９】
上記課題を解決する表示装置は、情報を表示する表示パネルと、前記表示パネルの表示する前記情報を透過するタッチパネルと、前記タッチパネルの駆動を制御する制御部と、を備え、前記タッチパネルは、上記タッチパネルである。
【００１０】
上記構成によれば、第１電極線群から構成される第１電極においては、第１副線と繋がっている第１主線にて、第１副線との接続箇所を挟む２箇所で断線が生じたとしても、断線箇所に挟まれた部分の電極線は、第１副線によって他の第１主線と繋がっているため、周囲から絶縁された状態とはならない。したがって、第１副線が全く設けられていない構成と比較して、電極線の断線によるフローティング部の発生が抑えられる。また、第１主線が屈曲線形状を有しているため、第１電極によって形成される電極パターンの規則性が低下して、タッチセンサ用電極を備えるタッチパネルが表示パネルと重ねられたときに、干渉縞が発生することが抑えられる。このように、上記構成によれば、干渉縞の発生を抑えることの可能な電極パターンにて電極線の断線によるフローティング部の発生が抑えられる。
【００１１】
上記構成において、前記第２主線と前記第１副線との各々は、屈曲線形状を有していることが好ましい。
上記構成によれば、干渉縞の発生がより適切に抑えられる。
上記構成において、前記屈曲線形状は、直線形状を有する複数の短線部が屈曲部を介して連なる折れ線形状であることが好ましい。
上記構成によれば、主線や副線の形成や設計が容易である。
【００１２】
上記構成において、相互に隣接する２つの前記第１電極の各々は、前記第１電極線群から構成され、前記相互に隣接する２つの前記第１電極の各々が有する前記第１副線は、前記第２方向に沿って並んでいることが好ましい。
上記構成によれば、第１副線の配置の設計や、第２主線と第１副線との協働によって形成される周期的なパターンの設計が容易である。
【００１３】
上記構成では、前記第１電極線群において、前記第１副線の線幅は、前記第１主線の線幅と等しくてもよい。
上記構成によれば、タッチセンサ用電極を備えるタッチパネルの外観についての均質性が高められる。
上記構成では、前記第１電極線群において、前記第１副線の線幅は、前記第１主線の線幅と異なってもよい。
【００１４】
上記構成によれば、第１主線と第１副線との間における線幅の違いを、透明誘電体基板の第１面と対向する方向からみた第１電極を構成する電極線群と第２電極を構成する電極線群との見え方の違いを調整するパラメータとして利用することが可能となる。
上記構成では、前記第１電極線群において、１つの前記第１副線は、前記第１電極線群に含まれるすべての前記第１主線を繋いでいることが好ましい。
【００１５】
上記構成によれば、第１電極線群に含まれるすべての第１主線が第１副線と繋がっているため、第１電極線群に第１副線と繋がっていない第１主線が含まれる場合と比較して、フローティング部の発生が的確に抑えられる。また、こうした構成が、１つの第１副線が第１電極線群に含まれるすべての第１主線と繋がることによって実現されているため、複数の第１副線の配置によって上記構成が実現される場合と比較して、第１副線の配置についての設計が容易である。
【００１６】
上記構成において、前記透明誘電体層の前記第１面と対向する方向から見て、前記第１電極線群を備える前記第１電極と前記複数の第２電極とが重なる領域の各々に、１つの前記第１副線が配置されていてもよい。
透明誘電体層の第１面と対向する方向から見て、第１電極と第２電極とが重なる領域は、１つの容量検出部を構成する。上記構成によれば、各第１主線のなかで容量検出部に含まれる部分の全体がフローティング部となることが抑えられるため、容量検出部ごとの単位で接触位置の検出精度の低下が抑えられる。
【００１７】
上記構成において、前記透明誘電体層の前記第１面と対向する方向から見て、前記第１電極線群を備える前記第１電極と前記複数の第２電極とが重なる領域の各々に、複数の前記第１副線が配置されていてもよい。
上記構成によれば、１つの容量検出部に複数の第１副線が配置されるため、容量検出部のなかに部分的なフローティング部が発生することが抑えられる。したがって、容量検出部ごとの単位での接触位置の検出精度の低下がより的確に抑えられる。
【００１８】
上記構成において、前記第１副線は、相互に隣り合う２つの前記第１電極の境界領域を区画する相互に隣り合う２つの前記第１主線の間にはみ出していないことが好ましい。
上記構成によれば、上記２つの第１主線の間に、第１副線がはみ出している構成と比較して、電極線の配置されていない領域が増加するため、タッチセンサ用電極を備えるタッチパネルにおける光の透過量が増加し、タッチパネルや表示装置における情報の視認性が向上する。
【発明の効果】
【００１９】
本発明によれば、電極線の断線によるフローティング部の発生を抑えることができる。
【図面の簡単な説明】
【００２０】
【図１】本発明を具体化した一実施形態における表示装置の断面構造を示す断面図である。
【図２】一実施形態におけるタッチセンサ用電極の平面構造を示す平面図である。
【図３】一実施形態におけるタッチパネルの電気的構成を説明するための模式図である。
【図４】一実施形態におけるドライブ電極の一部分の平面構造を示す部分平面図である。
【図５】一実施形態におけるドライブ電極の一部分の平面構造を示す図であって、図４にて一点鎖線で囲まれる部分を拡大して示す図である。
【図６】一実施形態におけるセンシング電極の一部分の平面構造を示す部分平面図である。
【図７】一実施形態におけるセンシング電極の一部分の平面構造を示す図であって、図６にて一点鎖線で囲まれる部分を拡大して示す図である。
【図８】一実施形態におけるタッチセンサ用電極の一部分の平面構造を示す平面図であって、ドライブ電極線の位置とセンシング電極線の位置との関係を示す図である。
【図９】変形例におけるドライブ電極の平面構造を示す平面図である。
【図１０】変形例におけるドライブ電極の一部分の平面構造を示す部分平面図である。
【図１１】変形例における表示装置の断面構造を示す断面図である。
【図１２】変形例における表示装置の断面構造を示す断面図である。
【発明を実施するための形態】
【００２１】
図１から図８を参照して、一実施形態のタッチセンサ用電極、タッチパネル、および、表示装置について説明する。
【００２２】
［表示装置の構成］
図１を参照して、表示装置の構成について説明する。
図１が示すように、表示装置１００は、例えば、液晶パネルである表示パネル１０と、タッチパネル２０とが、図示しない１つの透明接着層によって貼り合わされた積層体であり、タッチパネル２０を駆動するための回路やタッチパネル２０の駆動を制御する制御部を備えている。なお、表示パネル１０とタッチパネル２０との相対的な位置が筐体などの他の構成によって固定される前提であれば、上記透明接着層は割愛されてもよい。
表示パネル１０の表面には、矩形形状に形成された表示面が区画され、表示面には、外部からの画像データに基づく画像などの情報が表示される。
【００２３】
表示パネル１０を構成する構成要素は、タッチパネル２０から遠い構成要素から順番に、以下のように並んでいる。すなわち、タッチパネル２０から遠い順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。
【００２４】
これらのうち、ＴＦＴ層１３には、サブ画素を構成する画素電極がマトリクス状に位置している。また、カラーフィルタ層１５が有するブラックマトリクスは、矩形形状を有した複数の単位格子から構成される格子形状を有している。そして、ブラックマトリクスは、こうした格子形状によって、サブ画素の各々と向かい合う矩形形状を有する複数の領域を区画し、ブラックマトリクスの区画する各領域には、白色光を赤色、緑色、および、青色のいずれかの色の光に変える着色層が位置している。
【００２５】
なお、表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５が割愛されてもよい。この際に、ＥＬパネルにおいて相互に隣り合う画素の境界部分は、ブラックマトリックスとして機能する。
【００２６】
タッチパネル２０は、静電容量式のタッチパネルであり、タッチセンサ用電極２１とカバー層２２とが透明接着層２３によって貼り合わされた積層体であって、表示パネル１０の表示する情報を透過する光透過性を有している。
【００２７】
詳細には、タッチパネル２０を構成する構成要素のなかで表示パネル１０に近い構成要素から順番に、複数のドライブ電極３１ＤＰ、透明誘電体基板３３、複数のセンシング電極３３ＳＰ、透明接着層２３、カバー層２２が位置している。このうち、ドライブ電極３１ＤＰ、透明誘電体基板３３、および、センシング電極３３ＳＰが、タッチセンサ用電極２１を構成している。
【００２８】
透明誘電体基板３３は、例えば、ポリエチレンテレフタラートなどの透明樹脂フィルムや透明ガラス基板などの基材から構成されて、１つの基材から構成される単層構造であってもよいし、２つ以上の基材が重ねられた多層構造であってもよい。透明誘電体基板３３は、表示面に表示される画像などの情報を透過する光透過性と、電極間における静電容量の検出に適した比誘電率とを有する。
【００２９】
透明誘電体基板３３における表示パネル１０と対向する面である裏面は、ドライブ電極面３１Ｓとして設定され、ドライブ電極面３１Ｓには、複数のドライブ電極３１ＤＰが配置されている。
【００３０】
透明誘電体基板３３における表示パネル１０とは反対側の面である表面は、センシング電極面３３Ｓとして設定され、センシング電極面３３Ｓには、複数のセンシング電極３３ＳＰが配置されている。すなわち、透明誘電体基板３３は、複数のドライブ電極３１ＤＰと、複数のセンシング電極３３ＳＰとに挟まれている。複数のセンシング電極３３ＳＰ、および、センシング電極面３３Ｓにおいてセンシング電極３３ＳＰが位置しない部分は、１つの透明接着層２３によってカバー層２２に貼り合わされている。
【００３１】
透明接着層２３は、表示面に表示される画像などの情報を透過する光透過性を有し、透明接着層２３には、例えば、ポリエーテル系接着剤やアクリル系接着剤などが用いられる。
【００３２】
カバー層２２は、ガラス基板や樹脂フィルムなどによって形成され、カバー層２２における透明接着層２３とは反対側の面は、タッチパネル２０における表面であって操作面２０Ｓとして機能する。
【００３３】
なお、上記構成要素のうち、透明接着層２３は割愛されてもよい。透明接着層２３の省略される構成においては、カバー層２２が有する面のなかで透明誘電体基板３３と対向する面がセンシング電極面３３Ｓとして設定され、センシング電極面３３Ｓに形成される１つの薄膜のパターニングによって、複数のセンシング電極３３ＳＰが形成されればよい。
【００３４】
［タッチセンサ用電極の平面構造］
図２を参照して、ドライブ電極３１ＤＰとセンシング電極３３ＳＰとの位置関係を中心に、タッチセンサ用電極２１の平面構造について説明する。なお、図２は、透明誘電体基板３３の表面と対向する方向からタッチセンサ用電極２１を見た図であり、二点鎖線で囲まれた横方向に沿って延びる帯状領域の各々は、１つのドライブ電極３１ＤＰが配置される領域を示し、二点鎖線で囲まれた縦方向に沿って延びる帯状領域の各々は、１つのセンシング電極３３ＳＰが配置される領域を示している。なお、ドライブ電極３１ＤＰおよびセンシング電極３３ＳＰの数は簡略化して示している。
【００３５】
また、ドライブ電極３１ＤＰとセンシング電極３３ＳＰとの構成を理解しやすくするために、図２にて最も上側に位置するドライブ電極３１ＤＰについてのみ、ドライブ電極３１ＤＰを構成するドライブ電極線を細線で示し、図２にて最も左側に位置するセンシング電極３３ＳＰについてのみ、センシング電極３３ＳＰを構成するセンシング電極線を太線で示している。
【００３６】
図２が示すように、透明誘電体基板３３のドライブ電極面３１Ｓにおいて、複数のドライブ電極３１ＤＰの各々は、１つの方向である第１電極方向Ｄ１に沿って延びる帯形状を有し、かつ、第１電極方向Ｄ１と直交する第２電極方向Ｄ２に沿って並んでいる。各ドライブ電極３１ＤＰは、隣接する他のドライブ電極３１ＤＰと互いに絶縁されている。
【００３７】
各ドライブ電極３１ＤＰは、複数のドライブ電極線３１ＤＲの集合であるドライブ電極線群３１ＤＧから構成され、複数のドライブ電極線３１ＤＲには、ドライブ主線とドライブ副線とが含まれている。各ドライブ電極３１ＤＰの形成材料には、銅やアルミニウムなどの金属膜が用いられ、各ドライブ電極３１ＤＰは、例えば、エッチングによって金属膜がパターニングされることにより形成される。複数のドライブ電極３１ＤＰの各々は、ドライブパッド３１Ｐを介して個別にタッチパネル２０の周辺回路の一例である選択回路に接続され、選択回路が出力する駆動信号を受けることによって選択回路に選択される。
【００３８】
透明誘電体基板３３のセンシング電極面３３Ｓにおいて、複数のセンシング電極３３ＳＰの各々は、第２電極方向Ｄ２に沿って延びる帯形状を有し、かつ、第２電極方向Ｄ２と直交する第１電極方向Ｄ１に沿って並んでいる。各センシング電極３３ＳＰは、隣接する他のセンシング電極３３ＳＰと互いに絶縁されている。
【００３９】
各センシング電極３３ＳＰは、複数のセンシング電極線３３ＳＲの集合であるセンシング電極線群３３ＳＧから構成され、複数のセンシング電極線３３ＳＲには、センシング主線とセンシング副線とが含まれている。各センシング電極３３ＳＰの形成材料には、銅やアルミニウムなどの金属膜が用いられ、各センシング電極３３ＳＰは、例えば、エッチングによって金属膜がパターニングされることにより形成される。複数のセンシング電極３３ＳＰの各々は、センシングパッド３３Ｐを介して個別にタッチパネル２０の周辺回路の一例である検出回路に接続され、検出回路によって電流値を測定される。
【００４０】
透明誘電体基板３３の表面と対向する平面視において、ドライブ電極３１ＤＰとセンシング電極３３ＳＰとが相互に重なる部分は、図２の二点鎖線によって区画される四角形状を有した容量検出部ＮＤである。１つの容量検出部ＮＤは、１つのドライブ電極３１ＤＰと、１つのセンシング電極３３ＳＰとが立体的に交差する部分であって、タッチパネル２０において使用者の指などが触れている位置を検出することの可能な最小の単位である。
【００４１】
［タッチパネルの電気的構成］
図３を参照して、タッチパネル２０の電気的構成を、表示装置１００の備える制御部の機能とともに説明する。なお、以下では、静電容量式のタッチパネル２０の一例として、相互容量方式のタッチパネル２０における電気的構成を説明する。
【００４２】
図３が示すように、タッチパネル２０は、周辺回路として、選択回路３４および検出回路３５を備えている。選択回路３４は、複数のドライブ電極３１ＤＰに接続され、検出回路３５は、複数のセンシング電極３３ＳＰに接続され、表示装置１００の備える制御部３６は、選択回路３４と検出回路３５とに接続されている。
【００４３】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００４４】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００４５】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００４６】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００４７】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００４８】
制御部３６は、信号処理部３５ｂの出力した電圧信号に基づいて、タッチパネル２０において使用者の指などが触れている位置を検出し、検出した位置の情報を表示パネルの表示面に表示される情報の生成などの各種の処理に利用する。なお、タッチパネル２０は、上述した相互容量方式のタッチパネル２０に限らず、自己容量方式のタッチパネルであってもよい。
【００４９】
［ドライブ電極の構成］
図４および図５を参照してドライブ電極３１ＤＰの構成を説明する。図４においては、ドライブ電極３１ＤＰを構成する複数のドライブ電極線３１ＤＲの配置を説明する便宜上、２つのドライブ電極３１ＤＰにおける４つの容量検出部ＮＤを構成する部分を拡大して示している。また、図５は、図４にて一点鎖線で囲まれる部分を拡大して示している。
【００５０】
図４が示すように、１つのドライブ電極３１ＤＰを構成するドライブ電極線群３１ＤＧが含むドライブ電極線３１ＤＲには、複数のドライブ主線３１ＭＬと、複数のドライブ副線３１ＳＬとが含まれている。
【００５１】
複数のドライブ主線３１ＭＬの各々は、複数の屈曲部３１ＱＭを含む屈曲線形状を有する。複数のドライブ主線３１ＭＬの各々は、置換領域ＺＤを除いて、第２電極方向Ｄ２に沿って一定の隙間ＣＤを空けて並べられている。置換領域ＺＤにおいて、隣接する２つのドライブ主線３１ＭＬの間の隙間は、隙間ＣＤの２つ分の大きさを有している。換言すれば、置換領域ＺＤは、一定の隙間ＣＤを空けて３つ以上のドライブ主線３１ＭＬが並べられたときに、ドライブ主線３１ＭＬ間に位置する１つのドライブ主線３１ＭＬが取り除かれた領域と等しい形状、および、大きさを有している。置換領域ＺＤは、例えば、１つの容量検出部ＮＤを構成する部分における第２電極方向Ｄ２の中央に配置される。
【００５２】
１つのドライブ電極線群３１ＤＧに含まれる複数のドライブ主線３１ＭＬの各々は、第１電極方向Ｄ１における一方の端部で他のドライブ主線３１ＭＬにおける一方の端部に接続され、かつ、第１電極方向Ｄ１における他方の端部でも他のドライブ主線３１ＭＬにおける他方の端部に接続され、これらの端部のうちの一方にてドライブパッド３１Ｐに接続されている。
【００５３】
複数のドライブ副線３１ＳＬの各々は、ドライブ主線３１ＭＬとは電極線の延びる方向が異なる一方、ドライブ主線３１ＭＬと同形の屈曲線形状を有し、複数の屈曲部３１ＱＳを含んでいる。
【００５４】
図５が示すように、複数のドライブ主線３１ＭＬの各々は、直線形状を有して相互に異なる傾きを有する２種類の短線部３１ＥＭの集合であり、第１電極方向Ｄ１に沿って交互に繰り返される２種類の短線部３１ＥＭと、２種類の短線部３１ＥＭの連結される部分である屈曲部３１ＱＭとを含んでいる。換言すれば、複数のドライブ主線３１ＭＬの各々は、複数の短線部３１ＥＭが屈曲部３１ＱＭを介して連なり、第１電極方向Ｄ１に沿って延びる折れ線形状を有する。
【００５５】
２種類の短線部３１ＥＭの各々は、短線部３１ＥＭの延びる方向に沿って長さＬ１を有している。２種類の短線部３１ＥＭのうち、一方の短線部３１ＥＭａは、第１電極方向Ｄ１に沿って延びる直線である基準線Ａ１に対して＋θ１度の傾きを有し、他方の短線部３１ＥＭｂは、基準線Ａ１に対して−θ１度の傾きを有している。
【００５６】
短線部３１ＥＭの長さＬ１は、下記式１の満たされる大きさであり、短線部３１ＥＭにおける第１電極方向Ｄ１の成分の長さＬ１ｘが、第２電極方向Ｄ２におけるドライブ主線３１ＭＬ間のピッチＣＤｙと等しくなるように設定される。ピッチＣＤｙや、基準線Ａ１と短線部３１ＥＭとのなす角度θ１は、表示装置１００に要求される位置検出の精度や表示パネル１０における画素幅などに応じて適宜設定される。
Ｌ１ｘ＝Ｌ１ｃｏｓθ１＝ＣＤｙ      ・・・  式１
【００５７】
複数のドライブ主線３１ＭＬの各々は、１つのドライブ主線３１ＭＬが第２電極方向Ｄ２に沿って並進された形状に形成され、複数のドライブ主線３１ＭＬにおいて、短線部３１ＥＭａと短線部３１ＥＭｂとの連結された部分である屈曲部３１ＱＭは、第２電極方向Ｄ２に沿って延びる１つの直線上に並んでいる。
【００５８】
なお、１つのドライブ主線３１ＭＬにおいて、第１電極方向Ｄ１に沿って並ぶ屈曲部３１ＱＭを結ぶ直線は、補助線Ｂ１、および、補助線Ｂ２として設定され、補助線Ｂ１と補助線Ｂ２とによって挟まれる領域は、屈曲領域Ｒ１として設定される。この際に、相互に隣り合うドライブ主線３１ＭＬの屈曲領域Ｒ１は、第２電極方向Ｄ２に沿って間隔を空けて並べられ、相互に重なることがないように、短線部３１ＥＭの長さＬ１、ピッチＣＤｙ、および、角度θ１が設定されている。
【００５９】
相互に隣り合う屈曲領域Ｒ１が、第２電極方向Ｄ２において相互に重なる場合には、相互に隣り合う２つのドライブ電極３１ＤＰの境界領域で各ドライブ電極３１ＤＰに割り当てられた容量検出部ＮＤに重なりが生じるため、接触位置の検出の精度が低下する。この点で、相互に隣り合う屈曲領域Ｒ１が、第２電極方向Ｄ２に沿って間隔を空けて並べられる構成であれば、接触位置の検出の精度が低下することが抑えられる。
【００６０】
複数のドライブ副線３１ＳＬの各々は、第２電極方向Ｄ２に沿って交互に繰り返される２種類の短線部３１ＥＳと、２種類の短線部３１ＥＳの連結される部分である屈曲部３１ＱＳとを含んでいる。換言すれば、複数のドライブ副線３１ＳＬの各々は、複数の短線部３１ＥＳが屈曲部３１ＱＳを介して連なり、第２電極方向Ｄ２に沿って延びる折れ線形状を有する。
【００６１】
複数のドライブ副線３１ＳＬの各々は、１つのドライブ電極３１ＤＰ内におけるすべてのドライブ主線３１ＭＬを繋いでいる。詳細には、ドライブ副線３１ＳＬとドライブ主線３１ＭＬとは、短線部３１ＥＳと短線部３１ＥＭとが交差することによって接続されている。そして、ドライブ副線３１ＳＬにおける複数の屈曲部３１ＱＳの各々は、いずれのドライブ主線３１ＭＬとも重ならない位置に配置され、ドライブ主線３１ＭＬにおける複数の屈曲部３１ＱＭの各々は、いずれのドライブ副線３１ＳＬとも重ならない位置に配置されている。
【００６２】
複数のドライブ電極３１ＤＰにおいて、各ドライブ電極３１ＤＰの有するドライブ副線３１ＳＬは第２電極方向Ｄ２に沿って並び、１つの屈曲線形状をなしている。互いに隣接する２つのドライブ電極３１ＤＰの間で、一方のドライブ電極３１ＤＰが含むドライブ副線３１ＳＬと他方のドライブ電極３１ＤＰが含むドライブ副線３１ＳＬとはスリットＳＲ１によって切り離されており、これによって互いに隣接する２つのドライブ電極３１ＤＰが互いに絶縁されている。
【００６３】
［センシング電極の構成］
図６および図７を参照してセンシング電極３３ＳＰの構成を説明する。図６においては、センシング電極３３ＳＰを構成する複数のセンシング電極線３３ＳＲの配置を説明する便宜上、２つのセンシング電極３３ＳＰにおける４つの容量検出部ＮＤを構成する部分を拡大して示している。また、図７は、図６にて一点鎖線で囲まれる部分を拡大して示している。
【００６４】
図６が示すように、１つのセンシング電極３３ＳＰを構成するセンシング電極線群３３ＳＧが含むセンシング電極線３３ＳＲには、複数のセンシング主線３３ＭＬと、複数のセンシング副線３３ＳＬとが含まれている。センシング電極３３ＳＰは、ドライブ電極３１ＤＰと比較して、電極に含まれる複数の電極線の各々の延びる方向と、複数の電極線の各々の並べられる方向とが異なる。
【００６５】
すなわち、複数のセンシング主線３３ＭＬの各々は、複数の屈曲部３３ＱＭを含む屈曲線形状を有する。複数のセンシング主線３３ＭＬの各々は、置換領域ＺＳを除いて、第１電極方向Ｄ１に沿って一定の隙間ＣＳを空けて並べられている。置換領域ＺＳにおいて、隣接する２つのセンシング主線３３ＭＬの間の隙間は、隙間ＣＳの２つ分の大きさを有している。換言すれば、置換領域ＺＳは、一定の隙間ＣＳを空けて３つ以上のセンシング主線３３ＭＬが並べられたときに、センシング主線３３ＭＬ間に位置する１つのセンシング主線３３ＭＬが取り除かれた領域と等しい形状、および、大きさを有している。置換領域ＺＳは、例えば、１つの容量検出部ＮＤを構成する部分における第１電極方向Ｄ１の中央に配置される。
【００６６】
１つのセンシング電極線群３３ＳＧに含まれる複数のセンシング主線３３ＭＬの各々は、第２電極方向Ｄ２における一方の端部で他のセンシング主線３３ＭＬにおける一方の端部に接続され、かつ、第２電極方向Ｄ２における他方の端部でも他のセンシング主線３３ＭＬにおける他の端部に接続され、これらの端部のうちの一方にてセンシングパッド３３Ｐに接続されている。
【００６７】
複数のセンシング副線３３ＳＬの各々は、センシング主線３３ＭＬとは電極線の延びる方向が異なる一方、センシング主線３３ＭＬと同形の屈曲線形状を有し、複数の屈曲部３３ＱＳを含んでいる。
【００６８】
図７が示すように、複数のセンシング主線３３ＭＬの各々は、直線形状を有して相互に異なる傾きを有する２種類の短線部３３ＥＭの集合であり、第２電極方向Ｄ２に沿って交互に繰り返される２種類の短線部３３ＥＭと、２種類の短線部３３ＥＭの連結される部分である屈曲部３３ＱＭとを含んでいる。換言すれば、複数のセンシング主線３３ＭＬの各々は、複数の短線部３３ＥＭが屈曲部３３ＱＭを介して連なり、第２電極方向Ｄ２に沿って延びる折れ線形状を有する。
【００６９】
２種類の短線部３３ＥＭの各々は、短線部３３ＥＭの延びる方向に沿って長さＬ２を有している。２種類の短線部３３ＥＭのうち、一方の短線部３３ＥＭａは、第２電極方向Ｄ２に沿って延びる直線である基準線Ａ２に対して＋θ２度の傾きを有し、他方の短線部３３ＥＭｂは、基準線Ａ２に対して−θ２度の傾きを有している。
【００７０】
短線部３３ＥＭの長さＬ２は、下記式２の満たされる大きさであり、短線部３３ＥＭにおける第２電極方向Ｄ２の成分の長さＬ２ｙが、第１電極方向Ｄ１におけるセンシング主線３３ＭＬ間のピッチＣＳｘと等しくなるように設定される。ピッチＣＳｘや、基準線Ａ２と短線部３３ＥＭとのなす角度θ２は、表示装置１００に要求される位置検出の精度や表示パネル１０における画素幅などに応じて適宜設定される。
Ｌ２ｙ＝Ｌ２ｃｏｓθ２＝ＣＳｘ      ・・・  式２
【００７１】
なお、本実施形態では、ドライブ電極３１ＤＰとセンシング電極３３ＳＰとにおいて、短線部３１ＥＭの長さＬ１は短線部３３ＥＭの長さＬ２と等しく、ピッチＣＤｙはピッチＣＳｘと等しく、角度θ１は角度θ２と等しく設定されている。
【００７２】
複数のセンシング主線３３ＭＬの各々は、１つのセンシング主線３３ＭＬが第１電極方向Ｄ１に沿って並進された形状に形成され、複数のセンシング主線３３ＭＬにおいて、短線部３３ＥＭａと短線部３３ＥＭｂとの連結された部分である屈曲部３３ＱＭは、第１電極方向Ｄ１に沿って延びる１つの直線上に並んでいる。
【００７３】
なお、１つのセンシング主線３３ＭＬにおいて、第２電極方向Ｄ２に沿って並ぶ屈曲部３３ＱＭを結ぶ直線は、補助線Ｂ３、および、補助線Ｂ４として設定され、補助線Ｂ３と補助線Ｂ４とによって挟まれる領域は、屈曲領域Ｒ２として設定される。この際に、相互に隣り合うセンシング主線３３ＭＬの屈曲領域Ｒ２は、第１電極方向Ｄ１に沿って間隔を空けて並べられ、相互に重なることがないように、短線部３３ＥＭの長さＬ２、ピッチＣＳｘ、および、角度θ２が設定されている。こうした構成によれば、相互に隣り合う２つのセンシング電極３３ＳＰの境界領域で各センシング電極３３ＳＰに割り当てられた容量検出部ＮＤに重なりが生じないため、接触位置の検出精度の低下が抑えられる。
【００７４】
複数のセンシング副線３３ＳＬの各々は、第１電極方向Ｄ１に沿って交互に繰り返される２種類の短線部３３ＥＳと、２種類の短線部３３ＥＳの連結される部分である屈曲部３３ＱＳとを含んでいる。換言すれば、複数のセンシング副線３３ＳＬの各々は、複数の短線部３３ＥＳが屈曲部３３ＱＳを介して連なり、第１電極方向Ｄ１に沿って延びる折れ線形状を有する。
【００７５】
複数のセンシング副線３３ＳＬの各々は、１つのセンシング電極３３ＳＰ内におけるすべてのセンシング主線３３ＭＬを繋いでいる。詳細には、センシング副線３３ＳＬとセンシング主線３３ＭＬとは、短線部３３ＥＳと短線部３３ＥＭとが交差することによって接続されている。そして、センシング副線３３ＳＬにおける複数の屈曲部３３ＱＳの各々は、いずれのセンシング主線３３ＭＬとも重ならない位置に配置され、センシング主線３３ＭＬにおける複数の屈曲部３３ＱＭの各々は、いずれのセンシング副線３３ＳＬとも重ならない位置に配置されている。
【００７６】
複数のセンシング電極３３ＳＰにおいて、各センシング電極３３ＳＰの有するセンシング副線３３ＳＬは第１電極方向Ｄ１に沿って並び、１つの屈曲線形状をなしている。互いに隣接する２つのセンシング電極３３ＳＰの間で、一方のセンシング電極３３ＳＰが含むセンシング副線３３ＳＬと他方のセンシング電極３３ＳＰが含むセンシング副線３３ＳＬとはスリットＳＲ２によって切り離されており、これによって互いに隣接する２つのセンシング電極３３ＳＰが互いに絶縁されている。
【００７７】
図４から図７を参照して説明したように、上記構成では、複数のドライブ副線３１ＳＬの各々は、センシング主線３３ＭＬと同一の方向に延び、かつ、同形の屈曲線形状を有している。そして、複数のセンシング副線３３ＳＬの各々は、ドライブ主線３１ＭＬと同一の方向に延び、かつ、同形の屈曲線形状を有している。
【００７８】
［タッチセンサ用電極の詳細構造］
図８を参照して、ドライブ電極線３１ＤＲとセンシング電極線３３ＳＲとの位置関係を中心に、タッチセンサ用電極２１の詳細構造について説明する。なお、図８は、透明誘電体基板３３の表面と対向する方向から、タッチセンサ用電極２１にて４つの容量検出部ＮＤを構成する部分を拡大して見た図であり、ドライブ電極線３１ＤＲが白抜き太線によって示され、センシング電極線３３ＳＲが黒太線によって示されている。
【００７９】
図８が示すように、透明誘電体基板３３の表面と対向する方向から見て、ドライブ副線３１ＳＬは、センシング電極３３ＳＰにおける置換領域ＺＳに位置し、ドライブ副線３１ＳＬと、ドライブ副線３１ＳＬを挟んで隣接する２つのセンシング主線３３ＭＬの各々との間には、隙間ＣＳと同じ大きさの隙間があいている。
【００８０】
透明誘電体基板３３の表面と対向する方向から見て、第２電極方向Ｄ２に並ぶ複数のドライブ副線３１ＳＬは、１つのセンシング主線３３ＭＬと同様の外観を有し、１つのセンシング主線３３ＭＬが第１電極方向Ｄ１に沿って等間隔に並進された形状からなるパターンを構成する１本の電極線のように振る舞っている。すなわち、ドライブ電極３１ＤＰとセンシング電極３３ＳＰとから形成される電極パターンにおいて、第２電極方向Ｄ２に沿って並ぶ複数のドライブ副線３１ＳＬは、置換領域ＺＳに位置する疑似的なセンシング主線３３ＭＬとして機能している。
【００８１】
このように、透明誘電体基板３３の表面と対向する方向から見て、複数のセンシング主線３３ＭＬと複数のドライブ副線３１ＳＬとから、第１電極方向Ｄ１に沿って一定の隙間ＣＳをあけて並ぶ電極線の周期的なパターンが形成されている。
【００８２】
同様に、透明誘電体基板３３の表面と対向する方向から見て、センシング副線３３ＳＬは、ドライブ電極３１ＤＰにおける置換領域ＺＤに位置し、センシング副線３３ＳＬと、センシング副線３３ＳＬを挟んで隣接する２つのドライブ主線３１ＭＬの各々との間には、隙間ＣＤと同じ大きさの隙間があいている。
【００８３】
透明誘電体基板３３の表面と対向する方向から見て、第１電極方向Ｄ１に並ぶ複数のセンシング副線３３ＳＬは、１つのドライブ主線３１ＭＬと同様の外観を有し、１つのドライブ主線３１ＭＬが第２電極方向Ｄ２に沿って等間隔に並進された形状からなるパターンを構成する１本の電極線のように振る舞っている。すなわち、ドライブ電極３１ＤＰとセンシング電極３３ＳＰとから形成される電極パターンにおいて、第１電極方向Ｄ１に沿って並ぶ複数のセンシング副線３３ＳＬは、置換領域ＺＤに位置する疑似的なドライブ主線３１ＭＬとして機能している。
【００８４】
このように、透明誘電体基板３３の表面と対向する方向から見て、複数のドライブ主線３１ＭＬと複数のセンシング副線３３ＳＬとから、第２電極方向Ｄ２に沿って一定の隙間ＣＤをあけて並ぶ電極線の周期的なパターンが形成されている。
【００８５】
換言すれば、複数のドライブ電極線３１ＤＲと複数のセンシング電極線３３ＳＲとから形成される電極パターンでは、等間隔に並ぶ複数のドライブ主線３１ＭＬから形成されるパターンを構成する電極線の一部が、センシング副線３３ＳＬとしてセンシング電極３３ＳＰに移され、等間隔に並ぶ複数のセンシング主線３３ＭＬから形成されるパターンを構成する電極線の一部が、ドライブ副線３１ＳＬとしてドライブ電極３１ＤＰに移されている。
【００８６】
要するに、本実施形態の電極パターンは、等間隔に並ぶ複数のドライブ主線３１ＭＬと、等間隔に並ぶ複数のセンシング主線３３ＭＬとから形成される電極パターンと比較して、ドライブ電極３１ＤＰとセンシング電極３３ＳＰとの重ね合わせによって形成されるパターンを変えずに、ドライブ電極３１ＤＰとセンシング電極３３ＳＰとの間で、パターンの一部が入れ替えられている。
【００８７】
上記構成においては、１つのドライブ電極３１ＤＰにて１つの容量検出部ＮＤを構成する部分の各々に、１つのドライブ副線３１ＳＬが配置されることが好ましく、１つのセンシング電極３３ＳＰにて１つの容量検出部ＮＤを構成する部分の各々に、１つのセンシング副線３３ＳＬが配置されることが好ましい。すなわち、１つのドライブ電極３１ＤＰにて１つの容量検出部ＮＤを構成する部分の各々に、１つの置換領域ＺＤが配置され、１つのセンシング電極３３ＳＰにて１つの容量検出部ＮＤを構成する部分の各々に、１つの置換領域ＺＳが配置される。換言すれば、容量検出部ＮＤの各々にて、１つのドライブ主線３１ＭＬがセンシング副線３３ＳＬに置換され、１つのセンシング主線３３ＭＬがドライブ副線３１ＳＬに置換されることが好ましい。
【００８８】
こうした構成に対し、１つのドライブ電極３１ＤＰにて１つの容量検出部ＮＤに複数のドライブ副線３１ＳＬが配置されてもよいが、この場合、透明誘電体基板３３の表面と対向する方向からこの容量検出部ＮＤを見たときに、容量検出部ＮＤ内にて、ドライブ副線３１ＳＬの数はセンシング主線３３ＭＬの数以下であることが好ましい。同様に、１つのセンシング電極３３ＳＰにて１つの容量検出部ＮＤに複数のセンシング副線３３ＳＬが配置される場合、透明誘電体基板３３の表面と対向する方向からこの容量検出部ＮＤを見たときに、容量検出部ＮＤ内にて、センシング副線３３ＳＬの数はドライブ主線３１ＭＬの数以下であることが好ましい。すなわち、一方の電極の主線から他方の電極の副線に置き換えられる主線の数は、１つの容量検出部ＮＤのなかで１／２以下であることが好ましい。
【００８９】
ドライブ電極面３１Ｓにおいて、複数のドライブ副線３１ＳＬは均等に配置されていることが好ましく、１つのドライブ電極３１ＤＰに含まれる複数のドライブ副線３１ＳＬの各々は、等間隔に配置されていることが好ましい。同様に、センシング電極面３３Ｓにおいて、複数のセンシング副線３３ＳＬは均等に配置されていることが好ましく、１つのセンシング電極３３ＳＰに含まれる複数のセンシング副線３３ＳＬの各々は、等間隔に配置されていることが好ましい。こうした構成によれば、タッチパネル２０の外観の均質性を高めることができる。
続いて、ドライブ主線３１ＭＬとセンシング主線３３ＭＬとの位置関係について説明する。
【００９０】
透明誘電体基板３３の表面と対向する方向から見て、ドライブ主線３１ＭＬにおける複数の屈曲部３１ＱＭの各々は、いずれのセンシング主線３３ＭＬとも重ならない位置に配置され、相互に隣り合う２本のセンシング主線３３ＭＬの間の隙間である隙間ＣＳや置換領域ＺＳと対向している。また、透明誘電体基板３３の表面と対向する方向から見て、センシング主線３３ＭＬにおける複数の屈曲部３３ＱＭの各々は、いずれのドライブ主線３１ＭＬとも重ならない位置に配置され、相互に隣り合う２本のドライブ主線３１ＭＬの間の隙間である隙間ＣＤや置換領域ＺＤと対向している。すなわち、透明誘電体基板３３の表面と対向する方向から見て、ドライブ主線３１ＭＬとセンシング主線３３ＭＬとは、一方の電極の主線における屈曲部が、他方の電極の主線と重ならない位置に配置されている。
【００９１】
また、透明誘電体基板３３の表面と対向する方向から見て、複数のドライブ主線３１ＭＬの各々と、複数のセンシング主線３３ＭＬの各々とは、ドライブ主線３１ＭＬにおける短線部３１ＥＭと、センシング主線３３ＭＬにおける短線部３３ＥＭとにおいて重なっている。
【００９２】
なお、透明誘電体基板３３の表面と対向する方向から見て、ドライブ副線３１ＳＬとセンシング副線３３ＳＬとは、ドライブ副線３１ＳＬにおける短線部３１ＥＳと、センシング副線３３ＳＬにおける短線部３３ＥＳとにおいて重なっており、ドライブ副線３１ＳＬの屈曲部３１ＱＳはセンシング副線３３ＳＬと重ならず、センシング副線３３ＳＬの屈曲部３３ＱＳはドライブ副線３１ＳＬと重なっていない。
【００９３】
要するに、透明誘電体基板３３の表面と対向する方向から見て、ドライブ主線３１ＭＬ、センシング主線３３ＭＬ、ドライブ副線３１ＳＬ、および、センシング副線３３ＳＬが有するすべての屈曲部３１ＱＭ，３３ＱＭ，３１ＱＳ，３３ＱＳは、いずれの電極線とも重なっていない。
【００９４】
こうした構成においては、透明誘電体基板３３の表面と対向する方向から見て、第１電極方向Ｄ１にて相互に隣り合う２本の電極線と、第２電極方向Ｄ２にて相互に隣り合う２本の電極線とによって、内角に鈍角や優角を有する八角形が形成されている。そして、複数のドライブ電極線３１ＤＲと複数のセンシング電極線３３ＳＲとによって、４種類の八角形が第１電極方向Ｄ１と第２電極方向Ｄ２とに沿って並ぶ電極パターンが形成されている。
【００９５】
ドライブ副線３１ＳＬの線幅は、ドライブ主線３１ＭＬの線幅と等しくてもよいし、異なっていてもよい。同様に、センシング副線３３ＳＬの線幅は、センシング主線３３ＭＬの線幅と等しくてもよいし、異なっていてもよい。タッチパネル２０の外観の均質性を高めるためには、ドライブ副線３１ＳＬの線幅は、ドライブ主線３１ＭＬの線幅と等しいことが好ましく、センシング副線３３ＳＬの線幅は、センシング主線３３ＭＬの線幅と等しいことが好ましい。主線３１ＭＬ，３３ＭＬの線幅と副線３１ＳＬ，３３ＳＬの線幅とが相互に等しい構成であれば、主線３１ＭＬ，３３ＭＬを形成するための製造技術を副線３１ＳＬ，３３ＳＬを形成するための製造技術に転用することが可能である。それゆえに、タッチセンサ用電極２１の製造においては、副線３１ＳＬ，３３ＳＬが新たに加わることによる生産性の低下が抑えられる。さらに、タッチパネル２０の外観の均質性を高めるためには、ドライブ副線３１ＳＬの線幅は、センシング主線３３ＭＬの線幅と等しいことが好ましく、センシング副線３３ＳＬの線幅は、ドライブ主線３１ＭＬの線幅と等しいことが好ましい。
【００９６】
ただし、例えば、透明誘電体基板３３の厚みや光の透過性などに起因して、ドライブ電極線３１ＤＲとセンシング電極線３３ＳＲとの見え方に差が生じる場合には、こうした見え方の差に応じて、副線３１ＳＬ，３３ＳＬの線幅を、主線３１ＭＬ，３３ＭＬの線幅よりも小さくしたり大きくしたりしてもよい。例えば、ドライブ電極線３１ＤＲよりも操作面２０Ｓに近いセンシング電極線３３ＳＲの方が目立つ場合、センシング副線３３ＳＬの線幅をセンシング主線３３ＭＬの線幅よりも小さくすることによって、センシング電極線３３ＳＲのなかでセンシング副線３３ＳＬを目立たなくし、センシング副線３３ＳＬの見え方を、センシング副線３３ＳＬと同一の方向に延びるドライブ主線３１ＭＬの見え方に近づけることができる。結果として、センシング電極線３３ＳＲのなかで延びる方向の異なる電極線であるセンシング副線３３ＳＬが目立つことが抑えられ、センシング電極線３３ＳＲがドライブ電極線３１ＤＲに対して突出して見えることが抑えられる。
【００９７】
［作用］
本実施形態のタッチセンサ用電極２１がもたらす作用について説明する。
上記構成においては、１つのドライブ主線３１ＭＬ内にて、ドライブ副線３１ＳＬとの接続箇所を挟む２箇所で断線が生じたとしても、断線箇所に挟まれた部分の電極線は、ドライブ副線３１ＳＬによって、他のドライブ主線３１ＭＬと繋がっているため、周囲から絶縁された状態とはならない。したがって、ドライブ副線３１ＳＬが全く設けられていない構成と比較して、電極線の断線によるフローティング部の発生が抑えられる。
【００９８】
同様に、１つのセンシング主線３３ＭＬ内にて、センシング副線３３ＳＬとの接続箇所を挟む２箇所で断線が生じたとしても、断線箇所に挟まれた部分の電極線は、センシング副線３３ＳＬによって、他のセンシング主線３３ＭＬと繋がっているため、周囲から絶縁された状態とはならない。したがって、センシング副線３３ＳＬが全く設けられていない構成と比較して、電極線の断線によるフローティング部の発生が抑えられる。
【００９９】
また、上記構成においては、４種類の八角形が第１電極方向Ｄ１と第２電極方向Ｄ２とに沿って並ぶ電極パターンが形成されているため、矩形がマトリクス状に並べられた電極パターンと比較して、電極パターンの規則性にゆらぎが生じる。詳細には、矩形がマトリクス状に並べられた電極パターンと比較して、電極パターンを構成する多角形の頂点が１つの直線上に並ぶことが抑えられるため、第１電極方向Ｄ１および第２電極方向Ｄ２の双方にて、電極パターンの規則性が低くなる。
【０１００】
ここで、第１電極方向Ｄ１および第２電極方向Ｄ２に沿って矩形が並ぶ電極パターンと、第１電極方向Ｄ１および第２電極方向Ｄ２に沿って矩形が並ぶ画素パターンに従った格子形状を有するブラックマトリクスとが重ねられる場合には、規則性の高いパターン同士が重なることによって、その周期のずれに起因した干渉縞が生じる。これに対し、本実施形態のタッチセンサ用電極２１にて形成される電極パターンであれば、電極パターンの規則性が低いため、表示パネル１０とタッチパネル２０とが重ねられた場合における干渉縞の発生が抑えられる。
【０１０１】
詳細には、本実施形態の電極パターンでは、主線３１ＭＬ，３３ＭＬや副線３１ＳＬ，３３ＳＬが屈曲線形状を有することによって、１本の電極線の占める領域は、電極線の並ぶ方向において屈曲領域Ｒ１もしくは屈曲領域Ｒ２に広げられる。それゆえに、表示パネル１０とタッチパネル２０とが重ねられた場合には、表示パネル１０の画素パターンとタッチパネル２０の電極パターンとによって形成されるパターンの輪郭が不鮮明となり、結果として、干渉縞の発生が抑えられる。
【０１０２】
このように、本実施形態では、干渉縞の発生を抑えることの可能な電極パターンにて、断線によるフローティング部の発生を抑えることが可能となる。その結果、接触位置の検出精度の低下の抑制や、タッチセンサ用電極２１の歩留まりの向上による製造コストの低減が可能となる。
【０１０３】
特に、本実施形態では、等間隔に並ぶ複数のドライブ主線３１ＭＬと、等間隔に並ぶ複数のセンシング主線３３ＭＬとから形成される従来の電極パターンと比較して、ドライブ電極３１ＤＰとセンシング電極３３ＳＰとの重ね合わせによって形成されるパターンを変えずに、断線によるフローティング部の発生を抑えることの可能な構成が実現されている。
【０１０４】
したがって、従来の電極パターンに対して新たな電極線が加えられていないため、断線によるフローティング部の発生を抑える効果を得つつも、従来の電極パターンと比較してタッチパネル２０における光の透過量が低下することが抑えられる。その結果、表示装置１００において表示パネル１０が表示する情報の視認性が低下することが抑えられる。
【０１０５】
また、本実施形態の電極パターンは、従来の電極パターンに対して、ドライブ電極３１ＤＰとセンシング電極３３ＳＰとの間でパターンの一部を入れ替えることによって形成されているため、例えば、従来の電極パターンに対して、パターンを入れ替えることなく複数の主線３１ＭＬ，３３ＭＬを繋ぐ副線を新たに追加した構成と比較して、副線の配置の設計が容易である。また、追加された電極線に起因して干渉縞が発生することも抑えられる。
【０１０６】
なお、上記実施形態においては、タッチセンサ用電極２１の平面構造について、透明誘電体基板３３の表面と対向する方向から見た場合の構成を説明したが、こうした構成は、透明誘電体基板３３の裏面と対向する方向から見た場合であっても同様である。
【０１０７】
上記実施形態において、透明誘電体基板３３は透明誘電体層の一例である。そして、透明誘電体基板３３の裏面を第１面とするとき、透明誘電体基板３３の表面が第２面であり、第１電極方向Ｄ１が第１方向であり、第２電極方向Ｄ２が第２方向であり、ドライブ電極３１ＤＰが第１電極であり、ドライブ電極線群３１ＤＧが第１電極線群であり、ドライブ主線３１ＭＬが第１主線であり、ドライブ副線３１ＳＬが第１副線であり、センシング電極３３ＳＰが第２電極であり、センシング主線３３ＭＬが第２主線である。また、透明誘電体基板３３の表面を第１面とするとき、透明誘電体基板３３の裏面が第２面であり、第２電極方向Ｄ２が第１方向であり、第１電極方向Ｄ１が第２方向であり、センシング電極３３ＳＰが第１電極であり、センシング電極線群３３ＳＧが第１電極線群であり、センシング主線３３ＭＬが第１主線であり、センシング副線３３ＳＬが第１副線であり、ドライブ電極３１ＤＰが第２電極であり、ドライブ主線３１ＭＬが第２主線である。
【０１０８】
以上説明したように、本実施形態によれば以下に列挙する効果が得られる。
（１）ドライブ電極３１ＤＰおよびセンシング電極３３ＳＰにおいて、屈曲線形状を有した複数の主線３１ＭＬ，３３ＭＬが、副線３１ＳＬ，３３ＳＬによって繋がれている。それゆえ、副線３１ＳＬ，３３ＳＬが全く設けられていない構成と比較して、干渉縞の発生を抑えることの可能な電極パターンにて電極線の断線によるフローティング部の発生が抑えられる。
【０１０９】
特に、等間隔に並ぶ複数のドライブ主線３１ＭＬと、等間隔に並ぶ複数のセンシング主線３３ＭＬとから形成される従来の電極パターンと比較して、ドライブ電極３１ＤＰとセンシング電極３３ＳＰとの重ね合わせによって形成されるパターンを変えずに、断線によるフローティング部の発生を抑えることの可能な構成が実現されている。
【０１１０】
したがって、従来の電極パターンに新たな電極線が追加される構成と比較して、光の透過量の低下が抑えられ、表示装置１００において表示パネル１０が表示する情報の視認性が低下することが抑えられる。また、副線３１ＳＬ，３３ＳＬの配置の設計が容易であり、追加された電極線に起因して干渉縞が発生することも抑えられる。
【０１１１】
（２）主線３１ＭＬ，３３ＭＬ、副線３１ＳＬ，３３ＳＬが、直線形状を有する短線部が屈曲部を介して連なる折れ線形状であるため、主線３１ＭＬ，３３ＭＬや副線３１ＳＬ，３３ＳＬの形成や設計が容易である。
【０１１２】
（３）複数のドライブ電極３１ＤＰおよび複数のセンシング電極３３ＳＰにおいて、相互に隣接する２つの電極の各々が有する副線３１ＳＬ，３３ＳＬは、副線３１ＳＬ，３３ＳＬの延びる方向に沿って並んでいる。したがって、副線３１ＳＬ，３３ＳＬの配置の設計や、ドライブ主線３１ＭＬおよびセンシング副線３３ＳＬ、あるいは、センシング主線３３ＭＬおよびドライブ副線３１ＳＬから形成される周期的なパターンの設計が容易である。
（４）副線３１ＳＬ，３３ＳＬの線幅が主線３１ＭＬ，３３ＭＬの線幅と等しい構成では、タッチパネル２０の外観についての均質性が高められる。
【０１１３】
（５）副線３１ＳＬ，３３ＳＬの線幅が主線３１ＭＬ，３３ＭＬの線幅と異なる構成では、線幅の違いを、透明誘電体基板３３の表面と対向する方向からみたドライブ電極線３１ＤＲとセンシング電極線３３ＳＲとの見え方の違いを調整するパラメータとして利用することができる。
【０１１４】
（６）１つの副線３１ＳＬ，３３ＳＬは、１つの電極線群３１ＤＧ，３３ＳＧに含まれるすべての主線３１ＭＬ，３３ＭＬを繋いでいるため、電極線群３１ＤＧ，３３ＳＧに副線３１ＳＬ，３３ＳＬと繋がっていない主線３１ＭＬ，３３ＭＬが含まれる場合と比較して、フローティング部の発生が的確に抑えられる。また、複数の副線３１ＳＬ，３３ＳＬの配置によって、すべての主線３１ＭＬ，３３ＭＬがいずれかの副線３１ＳＬ，３３ＳＬと繋がる構成が実現される場合と比較して、副線３１ＳＬ，３３ＳＬの配置についての設計が容易である。
【０１１５】
（７）透明誘電体基板３３の表面と対向する方向から見て、ドライブ電極３１ＤＰとセンシング電極３３ＳＰとが重なる領域の各々に、１つの副線３１ＳＬ，３３ＳＬが配置される構成では、各主線３１ＭＬ，３３ＭＬについて、１つの容量検出部ＮＤに含まれる部分の全体がフローティング部となることが抑えられるため、容量検出部ＮＤ単位で接触位置の検出精度の低下が抑えられる。
【０１１６】
（８）透明誘電体基板３３の表面と対向する方向から見て、ドライブ電極３１ＤＰとセンシング電極３３ＳＰとが重なる領域の各々に、複数の副線３１ＳＬ，３３ＳＬが配置される構成では、１つの容量検出部ＮＤのなかに部分的なフローティング部が発生することが抑えられる。したがって、容量検出部ＮＤ単位での接触位置の検出精度の低下がより的確に抑えられる。
【０１１７】
［変形例］
上記実施形態は、以下のように変更して実施することが可能である。
・１つのドライブ電極３１ＤＰに含まれる複数の容量検出部ＮＤに、ドライブ副線３１ＳＬが配置されていない容量検出部ＮＤが含まれてもよい。また、１つのセンシング電極３３ＳＰに含まれる複数の容量検出部ＮＤに、センシング副線３３ＳＬが配置されていない容量検出部ＮＤが含まれてもよい。こうした構成によっても、上記（１）の効果は得られる。
【０１１８】
なお、フローティング部の発生をより的確に抑えるためには、ドライブ副線３１ＳＬが配置されていない容量検出部ＮＤが存在する場合であっても、複数のドライブ主線３１ＭＬの各々は、１つのドライブ電極３１ＤＰのなかのいずれかの箇所でドライブ副線３１ＳＬと繋がっていることが好ましい。同様に、フローティング部の発生をより的確に抑えるためには、センシング副線３３ＳＬが配置されていない容量検出部ＮＤが存在する場合であっても、複数のセンシング主線３３ＭＬの各々は、１つのセンシング電極３３ＳＰのなかのいずれかの箇所でセンシング副線３３ＳＬと繋がっていることが好ましい。
【０１１９】
ただし、複数のドライブ主線３１ＭＬのなかにドライブ副線３１ＳＬと繋がっていないドライブ主線３１ＭＬが含まれている場合や、複数のセンシング主線３３ＭＬのなかにセンシング副線３３ＳＬと繋がっていないセンシング主線３３ＭＬが含まれている場合であっても、副線３１ＳＬ，３３ＳＬが全く設けられていない構成と比較して、電極線の断線によるフローティング部の発生は抑えられる。
【０１２０】
さらには、複数のドライブ電極３１ＤＰに、ドライブ副線３１ＳＬを有さないドライブ電極線群３１ＤＧから構成されるドライブ電極３１ＤＰが含まれてもよいし、複数のセンシング電極３３ＳＰに、センシング副線３３ＳＬを有さないセンシング電極線群３３ＳＧから構成されるセンシング電極３３ＳＰが含まれてもよい。こうした構成によっても、副線３１ＳＬ，３３ＳＬが全く設けられていない構成と比較して、電極線の断線によるフローティング部の発生は抑えられる。なお、透明誘電体基板３３の表面と対向する方向から見て、置換領域ＺＤは、センシング副線３３ＳＬが配置されている領域のみに配置されていればよく、置換領域ＺＳは、ドライブ副線３１ＳＬが配置された領域のみに配置されていればよい。
【０１２１】
・上記実施形態では、１つの副線３１ＳＬ，３３ＳＬが、電極線群３１ＤＧ，３３ＳＧに含まれるすべての主線３１ＭＬ，３３ＭＬを繋いでいる構成を示したが、１つの副線３１ＳＬ，３３ＳＬは、主線の並ぶ方向に沿って連続して並ぶ２以上の主線３１ＭＬ，３３ＭＬを繋いでいればよい。例えば、先の図４に示される１つのドライブ副線３１ＳＬが、置換領域ＺＤにて切り離されて２つに分割されていてもよい。こうした構成によっても、副線３１ＳＬ，３３ＳＬが全く設けられていない構成と比較して、フローティング部の発生は抑えられる。
【０１２２】
・上記実施形態では、複数のドライブ電極３１ＤＰあるいは複数のセンシング電極３３ＳＰにおいて、各電極３１ＤＰ，３３ＳＰの有する副線３１ＳＬ，３３ＳＬが、副線３１ＳＬ，３３ＳＬ延びる方向に沿って並ぶ構成を示した。これに限らず、図９が示すように、複数のドライブ電極３１ＤＰの各々が有する副線３１ＳＬは、第２電極方向Ｄ２に沿って並んでいなくてもよく、同様に、複数のセンシング電極３３ＳＰの各々が有する副線３３ＳＬは、第１電極方向Ｄ１に沿って並んでいなくてもよい。
【０１２３】
すなわち、複数のドライブ電極３１ＤＰあるいは複数のセンシング電極３３ＳＰにおいて、相互に隣接する２つの電極３１ＤＰ，３３ＳＰの各々が有する副線３１ＳＬ，３３ＳＬは、副線３１ＳＬ，３３ＳＬが延びる方向に沿って並んでいなくてもよい。副線３１ＳＬ，３３ＳＬは、一方の電極３１ＤＰ，３３ＳＰの副線３１ＳＬ，３３ＳＬと対向する他方の電極３１ＤＰ，３３ＳＰの置換領域ＺＤ，ＺＳの存在によって、他方の電極３１ＤＰ，３３ＳＰの主線３１ＭＬ，３３ＭＬのなかに周囲から絶縁されたフローティング部ができないような位置に配置されればよい。なお、図９では、複数のドライブ電極３１ＤＰを簡略化して示している。
【０１２４】
・図１０が示すように、ドライブ副線３１ＳＬは、相互に隣接する２つのドライブ電極３１ＤＰの境界領域を区画する２つのドライブ主線３１ＭＬの間にはみ出さないように、配置されてもよい。同様に、センシング副線３３ＳＬは、相互に隣接する２つのセンシング電極３３ＳＰの境界領域を区画する２つのセンシング主線３３ＭＬの間にはみ出さないように、配置されてもよい。こうした構成によれば、上記実施形態と比較して、電極線の配置されていない領域が増加するため、タッチパネル２０における光の透過量が増加し、表示装置１００における情報の視認性が向上する。
【０１２５】
・上記実施形態のように、相互に隣接する２つのドライブ電極３１ＤＰの境界領域を区画する２つのドライブ主線３１ＭＬの間に、ドライブ副線３１ＳＬがはみ出して配置される場合、はみ出した部分の電極線の長さは、ピッチＣＤｙの１／２以下の長さであることが好ましい。同様に、相互に隣接する２つのセンシング電極３３ＳＰの境界領域を区画する２つのセンシング主線３３ＭＬの間に、センシング副線３３ＳＬがはみ出して配置される場合、はみ出した部分の電極線の長さは、ピッチＣＳｘの１／２以下の長さであることが好ましい。また、ドライブ副線３１ＳＬが、１つのドライブ電極３１ＤＰに含まれるすべてのドライブ主線３１ＭＬを繋いでいない場合にも、ドライブ副線３１ＳＬの端部において、隣り合う２つのドライブ主線３１ＭＬの間にはみ出した部分は、ピッチＣＤｙの１／２以下の長さであることが好ましい。同様に、センシング副線３３ＳＬが、１つのセンシング電極３３ＳＰに含まれるすべてのセンシング主線３３ＭＬを繋いでいない場合にも、センシング副線３３ＳＬの端部において、隣り合う２つのセンシング主線３３ＭＬの間にはみ出した部分は、ピッチＣＳｘの１／２以下の長さであることが好ましい。
【０１２６】
こうした構成によれば、電極線のはみ出した部分がピッチの１／２を超える長さである場合よりも、はみ出した部分の長さが短くなるため、主線３１ＭＬ，３３ＭＬと副線３１ＳＬ，３３ＳＬとの接続部分において、電極線に生じた亀裂等によって電極線のはみ出した部分が導通状態になったり非導通状態になったりする現象が発生した場合でも、こうした現象が静電容量の変化に与える影響を小さくすることができる。
【０１２７】
・ドライブ電極３１ＤＰとセンシング電極３３ＳＰとにおいて、短線部３１ＥＭの長さＬ１は短線部３３ＥＭの長さＬ２と異なってもよいし、ピッチＣＤｙはピッチＣＳｘと異なってもよいし、角度θ１は角度θ２と異なっていてもよい。そして、透明誘電体基板３３の表面と対向する方向から見て、ドライブ副線３１ＳＬは、センシング主線３３ＭＬと同様の形状を有してセンシング主線３３ＭＬと協働して周期的なパターンを形成し、センシング副線３３ＳＬは、ドライブ主線３１ＭＬと同様の形状を有してドライブ主線３１ＭＬと協働して周期的なパターンを形成していればよい。
【０１２８】
また、ドライブ電極３１ＤＰにおける複数のドライブ副線３１ＳＬの配置パターンと、センシング電極３３ＳＰにおける複数のセンシング副線３３ＳＬの配置パターンとは、同一であってもよいし、同一でなくてもよい。
【０１２９】
すなわち、複数のドライブ電極線３１ＤＲから形成されるパターンと、複数のセンシング電極線３３ＳＲから形成されるパターンとは、電極線の延びる方向を除いて同一のパターンであってもよいし、同一のパターンでなくてもよい。
【０１３０】
・ドライブ電極３１ＤＰを構成するドライブ電極線群３１ＤＧのみがドライブ副線３１ＳＬを有し、センシング電極３３ＳＰを構成するセンシング電極線群３３ＳＧはセンシング副線３３ＳＬを有していなくてもよい。あるいは、センシング電極３３ＳＰを構成するセンシング電極線群３３ＳＧのみがセンシング副線３３ＳＬを有し、ドライブ電極３１ＤＰを構成するドライブ電極線群３１ＤＧはドライブ副線３１ＳＬを有していなくてもよい。ドライブ電極３１ＤＰとセンシング電極３３ＳＰとの少なくとも一方が副線を有する構成であれば、これらの電極の双方が副線を有さない構成と比較して、電極線の断線によるフローティング部の発生が抑えられる。なお、フローティング部の発生が接触位置の検出精度に与える影響は、ドライブ電極３１ＤＰよりもセンシング電極３３ＳＰにおいて大きい。したがって、ドライブ電極３１ＤＰとセンシング電極３３ＳＰとのいずれか一方の電極が副線を有する構成としては、センシング電極３３ＳＰが副線を有する構成が好ましい。
【０１３１】
・ドライブ主線３１ＭＬにおいて、短線部３１ＥＭの長さＬ１、ピッチＣＤｙ、角度θ１は、上記式１を満たす関係でなくてもよい。また、センシング主線３３ＭＬにおいて、短線部３３ＥＭの長さＬ２、ピッチＣＳｘ、角度θ２は、上記式２を満たす関係でなくてもよい。また、複数のドライブ電極３１ＤＰの間で、短線部３１ＥＭの長さＬ１、ピッチＣＤｙ、角度θ１はそれぞれ一定でなくてもよいし、１つのドライブ電極３１ＤＰに含まれる複数のドライブ主線３１ＭＬの間で、短線部３１ＥＭの長さＬ１、ピッチＣＤｙ、角度θ１はそれぞれ一定でなくてもよいし、１つのドライブ主線３１ＭＬのなかで、短線部３１ＥＭの長さＬ１や角度θ１は一定でなくてもよい。また、複数のセンシング電極３３ＳＰの間で、短線部３３ＥＭの長さＬ２、ピッチＣＳｘ、角度θ２はそれぞれ一定でなくてもよいし、１つのセンシング電極３３ＳＰに含まれる複数のセンシング主線３３ＭＬの間で、短線部３３ＥＭの長さＬ２、ピッチＣＳｘ、角度θ２はそれぞれ一定でなくてもよいし、１つのセンシング主線３３ＭＬのなかで、短線部３３ＥＭの長さＬ２や角度θ２は一定でなくてもよい。
【０１３２】
また、透明誘電体基板３３の表面と対向する方向から見て、ドライブ主線３１ＭＬの有する屈曲部３１ＱＭの一部は、センシング主線３３ＭＬやドライブ副線３１ＳＬと重なっていてもよいし、センシング主線３３ＭＬの有する屈曲部３３ＱＭの一部は、ドライブ主線３１ＭＬやセンシング副線３３ＳＬと重なっていてもよい。
【０１３３】
要は、透明誘電体基板３３の表面と対向する方向から見て、一方の電極における主線の屈曲部の少なくとも一部が、他方の電極における主線間の隙間と対向する構成であればよい。また、透明誘電体基板３３の表面と対向する方向から見て、ドライブ電極線３１ＤＲとセンシング電極線３３ＳＲとによって形成されるパターンには、八角形に限らず、四角形とは異なる多角形が含まれればよい。
【０１３４】
また、主線３１ＭＬ，３３ＭＬは、短線部３１ＥＭ，３３ＥＭの組み合わせからなる屈曲線形状に限らず、屈曲部が曲率を有する曲線形状に形成されていてもよい。
【０１３５】
また、複数のドライブ電極３１ＤＰが含むドライブ主線３１ＭＬには、直線形状を有する主線が含まれてもよいし、複数のセンシング電極３３ＳＰが含むセンシング主線３３ＭＬには、直線形状を有する主線が含まれてもよい。要は、複数のドライブ電極３１ＤＰと複数のセンシング電極３３ＳＰのうち、少なくとも１つの電極が、屈曲線形状を有する主線と、２以上の主線を繋ぐ副線とを含む電極線群から構成されればよい。こうした条件を満たす電極線群が、第１電極線群である。
【０１３６】
そして、これらの構成において、透明誘電体基板３３の表面と対向する方向から見て、ドライブ副線３１ＳＬは、置換領域ＺＳに配置されるべきセンシング主線３３ＭＬと同様の形状を有してセンシング主線３３ＭＬと協働して周期的なパターンを形成し、センシング副線３３ＳＬは、置換領域ＺＤに配置されるべきドライブ主線３１ＭＬと同様の形状を有してドライブ主線３１ＭＬと協働して周期的なパターンを形成していればよい。
・第１電極方向Ｄ１と第２電極方向Ｄ２とは、直交せずとも、交差する方向であればよい。
【０１３７】
・図１１および図１２が示すように、ドライブ電極３１ＤＰとセンシング電極３３ＳＰとは、互いに異なる基材上に形成されていてもよい。ただし、上記実施形態のように、ドライブ電極３１ＤＰとセンシング電極３３ＳＰとが１つの基材の表裏に形成される構成の方が、ドライブ電極線３１ＤＲとセンシング電極線３３ＳＲとの位置合わせの精度が高められるため、ドライブ主線３１ＭＬとセンシング副線３３ＳＬとの位置関係や、センシング主線３３ＭＬとドライブ副線３１ＳＬとの位置関係の精度が高められる。
以下、ドライブ電極３１ＤＰとセンシング電極３３ＳＰとが互いに異なる基材上に形成される構成について説明する。
【０１３８】
図１１においては、タッチセンサ用電極２１は、上記実施形態の構成に加えて、透明基板３１および透明接着層３２を備え、タッチセンサ用電極２１を構成する構成要素のなかで表示パネル１０に近い構成要素から順番に、透明基板３１、複数のドライブ電極３１ＤＰ、透明接着層３２、透明誘電体基板３３、複数のセンシング電極３３ＳＰが位置している。
【０１３９】
透明基板３１は、表示パネル１０の表示面が表示する画像などの情報を透過する光透過性を有している。透明基板３１は、例えば、透明ガラス基板や透明樹脂フィルムなどの基材から構成されて、１つの基材から構成される単層構造体であってもよいし、２つ以上の基材が重ねられた多層構造体であってもよい。透明基板３１における表示パネル１０とは反対側の面は、ドライブ電極面３１Ｓとして設定され、ドライブ電極面３１Ｓには、複数のドライブ電極３１ＤＰが配置されている。複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。
【０１４０】
透明接着層３２は、表示面に表示される画像などの情報を透過する光透過性を有し、透明接着層３２には、例えば、ポリエーテル系接着剤やアクリル系接着剤などが用いられる。複数のドライブ電極３１ＤＰが透明接着層３２によって透明誘電体基板３３に貼り合わされる結果、透明誘電体基板３３における透明基板３１と向かい合う面である裏面には、複数のドライブ電極３１ＤＰが並んでいる。
【０１４１】
そして、透明誘電体基板３３における透明接着層３２とは反対側の面である表面は、センシング電極面３３Ｓとして設定され、センシング電極面３３Ｓには、複数のセンシング電極３３ＳＰが配置されている。こうした構成においても、透明誘電体基板３３は、複数のドライブ電極３１ＤＰと複数のセンシング電極３３ＳＰとに挟まれて、透明誘電体層を構成している。
【０１４２】
なお、こうした構成においては、ドライブ電極３１ＤＰが形成された透明基板３１とセンシング電極３３ＳＰが形成された透明誘電体基板３３とが貼り合わされる製造方法の他、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、透明基板３１として機能する他の樹脂フィルムに形成された薄膜層が複数のドライブ電極３１ＤＰに加工されて、第２のフィルムが得られる。そして、第１フィルムと第２フィルムとが透明誘電体基板３３を挟むように、透明誘電体基板３３に対して透明接着層２３，３２によって貼り付けられる。
【０１４３】
図１２においては、タッチセンサ用電極２１を構成する構成要素のなかで表示パネル１０に近い構成要素から順番に、ドライブ電極３１ＤＰ、透明基板３１、透明接着層３２、透明誘電体基板３３、センシング電極３３ＳＰが位置している。
【０１４４】
こうした構成において、例えば、ドライブ電極３１ＤＰは、透明基板３１のドライブ電極面３１Ｓとなる１つの面に形成され、センシング電極３３ＳＰは、透明誘電体基板３３のセンシング電極面３３Ｓとなる１つの面に形成される。そして、透明基板３１においてドライブ電極面３１Ｓの反対側の面と、透明誘電体基板３３においてセンシング電極面３３Ｓの反対側の面とが、透明接着層３２によって接着される。この場合、透明基板３１、透明接着層３２、および、透明誘電体基板３３が、透明誘電体層を構成し、透明基板３１のドライブ電極面３１Ｓが、第１面および第２面の一方であり、透明誘電体基板３３のセンシング電極面３３Ｓが、第１面および第２面の他方である。
【０１４５】
・表示パネル１０とタッチパネル２０とは、個別に形成されていなくともよく、タッチパネル２０は、表示パネル１０と一体に形成されてもよい。こうした構成では、例えば、タッチセンサ用電極２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、タッチセンサ用電極２１がカラーフィルタ基板１６と上側偏光板１７との間に位置するオンセル型の構成でもよい。こうした構成においては、ドライブ電極３１ＤＰとセンシング電極３３ＳＰとに挟まれる層が、透明誘電体層を構成する。
【符号の説明】
【０１４６】
Ｄ１…第１電極方向、Ｄ２…第２電極方向、ＮＤ…容量検出部、ＺＤ，ＺＳ…置換領域、ＣＤ，ＣＳ…隙間、１０…表示パネル、１１…下側偏光板、１２…薄膜トランジスタ基板、１３…ＴＦＴ層、１４…液晶層、１５…カラーフィルタ層、１６…カラーフィルタ基板、１７…上側偏光板、２０…タッチパネル、２１…タッチセンサ用電極、２２…カバー層、２３…透明接着層、３１…透明基板、３１ＤＰ…ドライブ電極、３１ＤＧ…ドライブ電極線群、３１ＭＬ…ドライブ主線、３１ＳＬ…ドライブ副線、３１Ｓ…ドライブ電極面、３１ＥＭ，３１ＥＳ…短線部、３１ＱＭ，３１ＱＳ…屈曲部、３３…透明誘電体基板、３３ＳＰ…センシング電極、３３ＳＧ…センシング電極線群、３３Ｓ…センシング電極面、３３ＭＬ…センシング主線、３３ＳＬ…センシング副線、３３ＥＭ，３３ＥＳ…短線部、３３ＱＭ，３３ＱＳ…屈曲部、３４…選択回路、３５…検出回路、３６…制御部、１００…表示装置。
【図１】
2016126731.tif 000003
【図２】
2016126731.tif 000004
【図３】
2016126731.tif 000005
【図４】
2016126731.tif 000006
【図５】
2016126731.tif 000007
【図６】
2016126731.tif 000008
【図７】
2016126731.tif 000009
【図８】
2016126731.tif 000010
【図９】
2016126731.tif 000011
【図１０】
2016126731.tif 000012
【図１１】
2016126731.tif 000013
【図１２】
2016126731.tif 000014